(57)【要約】【課題】バンド部材の締め付け力によって、プロテクタ本体が変形することを抑制する。【解決手段】ワイヤハーネス用プロテクタは、略板状の底壁部１１と当該底壁部１１の両外縁から同じ側に向かって立設されている第１側壁部１２及び第２側壁部１３とを有するプロテクタ本体１０を備えている。第１側壁部１２及び第２側壁部１３の上側には、第１蓋部材３０における略板状の底板部３１が取り付けられている。そして、底壁部１１、第１側壁部１２、第２側壁部１３、底板部３１によって挿通空間Ｓが区画されている。また、第１蓋部材３０の上側には、第２蓋部材５０が取り付けられている。プロテクタ本体１０、第１蓋部材３０、及び第２蓋部材５０の外周には帯状のバンド部材７０が巻き付けられて、それらが固定されている。底板部３１における挿通空間Ｓ側の面からは突部３２が突出しており、突部３２は第１側壁部１２における挿通空間Ｓ側の面に当接している。【選択図】図１
2018191379.tif 000002
【特許請求の範囲】
【請求項１】
底壁部と当該底壁部の両外縁から同じ側に向かって立設されている一対の側壁部とを有するプロテクタ本体と、前記一対の側壁部の先端に取り付けられる蓋部材とを備え、前記底壁部、前記一対の側壁部、及び前記蓋部材によって、ワイヤハーネスが挿通される挿通空間が区画されているワイヤハーネス用プロテクタであって、
前記プロテクタ本体及び前記蓋部材の外周に巻き付けられて、前記プロテクタ本体と前記蓋部材とを固定している帯状のバンド部材を備え、
前記蓋部材における前記挿通空間側の面からは突部が突出しており、
前記突部は、前記側壁部における前記挿通空間側の面に当接している
ことを特徴とするワイヤハーネス用プロテクタ。
【請求項２】
前記突部は、前記側壁部に当接しているのとは反対側の面に傾斜面を備えており、
前記傾斜面は、前記突部の突出先端から基端側に向かうほど、当該突部が当接している前記側壁部から遠ざかるように傾斜している
請求項１に記載のワイヤハーネス用プロテクタ。
【請求項３】
前記突部は、前記蓋部材が取り付けられている部分の前記側壁部の延設方向において、前記蓋部材の全域に設けられている
請求項１又は請求項２に記載のワイヤハーネス用プロテクタ。
【発明の詳細な説明】
【技術分野】
【０００１】
本発明は、ワイヤハーネス用プロテクタに関する。
【背景技術】
【０００２】
特許文献１のワイヤハーネス用プロテクタにおけるプロテクタ本体は、板状の底壁部と、その底壁部の両外縁から同一方向に立設されている一対の側壁部とを備えている。また、一方の側壁部の先端には、板状の蓋部材が回動可能に連結されている。蓋部材を回動させることにより、プロテクタ本体における一対の側壁部の先端の間の開口が開閉される。そして、蓋部材を閉じることにより、プロテクタ本体の底壁部、各側壁部、及び蓋部材により、ワイヤハーネスを挿通するための挿通空間が区画されている。
【０００３】
特許文献２のコネクタ付きプロテクタは、プロテクタ本体と、当該プロテクタ本体に対向配置されているカバーとを備えており、これらの間に配線や端子等を収容するための収容空間が区画されている。また、プロテクタ本体及びカバーの外周には、帯状のバンド部材が巻き付けられている。このバンド部材によって、プロテクタ本体及びカバーが互いに分離しないように固定されている。
【先行技術文献】
【特許文献】
【０００４】
【特許文献１】特開２０１４−１５８３１３号公報
【特許文献２】特開２０１３−２３５７２３号公報
【発明の概要】
【発明が解決しようとする課題】
【０００５】
特許文献１のワイヤハーネス用プロテクタにおいても、特許文献２のコネクタ付きプロテクタのように、プロテクタ本体及び蓋部材の外周にバンド部材を巻き付けることが考えられる。ところが、バンド部材によってプロテクタ本体及び蓋部材を外側から締め付けると、その締め付け力によってプロテクタ本体に変形が生じることがある。仮に、プロテクタ本体に過度な変形が生じると、プロテクタ本体の内面がワイヤハーネスに接触するなどして、ワイヤハーネスに無理な力がかかることがあり、好ましくない。
【課題を解決するための手段】
【０００６】
上記課題を解決するためのワイヤハーネス用プロテクタは、底壁部と当該底壁部の両外縁から同じ側に向かって立設されている一対の側壁部とを有するプロテクタ本体と、前記一対の側壁部の先端に取り付けられる蓋部材とを備え、前記底壁部、前記一対の側壁部、及び前記蓋部材によって、ワイヤハーネスが挿通される挿通空間が区画されているワイヤハーネス用プロテクタであって、前記プロテクタ本体及び前記蓋部材の外周に巻き付けられて、前記プロテクタ本体と前記蓋部材とを固定している帯状のバンド部材を備え、前記蓋部材における前記挿通空間側の面からは突部が突出しており、前記突部は、前記側壁部における前記挿通空間側の面に当接している。
【０００７】
上記構成によれば、プロテクタ本体の側壁部が蓋部材の突部に当接しているため、側壁部が挿通空間側に変形しようとしても、その変形が突部によって規制される。したがって、バンド部材による締め付け力がプロテクタ本体に作用しても、側壁部が挿通空間側に変形してワイヤハーネスに無理な力が作用することは抑制できる。
【０００８】
上記ワイヤハーネス用プロテクタにおいて、前記突部は、前記側壁部に当接しているのとは反対側の面に傾斜面を備えており、前記傾斜面は、前記突部の突出先端から基端側に向かうほど、当該突部が当接している前記側壁部から遠ざかるように傾斜していてもよい。
【０００９】
上記構成によれば、突部の先端が面取りされたような形状になっている。したがって、蓋部材の突部が挿通空間内のワイヤハーネスに接触した際に、ワイヤハーネスを傷付けることを抑制できる。
【００１０】
上記ワイヤハーネス用プロテクタにおいて、前記突部は、前記蓋部材が取り付けられている部分の前記側壁部の延設方向において、前記蓋部材の全域に設けられていてもよい。
上記構成によれば、プロテクタ本体においてバンド部材が巻き付けられていない部分においても、側壁部が挿通空間側へ変形することを抑制できる。したがって、プロテクタ本体に対して力が作用しても、側壁部と蓋部材との位置関係にずれが生じることを抑制できる。その結果、プロテクタ本体において歪み等が生じることを抑制できる。
【発明の効果】
【００１１】
本発明によれば、バンド部材による締め付け力がプロテクタ本体に作用しても、側壁部が挿通空間側に変形してワイヤハーネスに無理な力が作用することは抑制できる。
【図面の簡単な説明】
【００１２】
【図１】ワイヤハーネス用プロテクタの斜視図。
【図２】ワイヤハーネス用プロテクタの平面図。
【図３】ワイヤハーネス用プロテクタの分解斜視図。
【図４】ワイヤハーネス用プロテクタの斜視図。
【図５】図２における５−５線での断面図。
【発明を実施するための形態】
【００１３】
以下、本発明の実施形態を図１〜図５にしたがって説明する。
図１に示すように、ワイヤハーネス用プロテクタにおけるプロテクタ本体１０は、板状の底壁部１１を備えている。底壁部１１は、平面視すると略Ｌ字形状に延びている。また、底壁部１１は、略Ｌ字形状の屈曲部分から一方の端部までの延設長さと他方の端部までの延設長さとが異なっている。なお、以下の説明では、底壁部１１に直交する方向を上下方向として説明する。
【００１４】
図３に示すように、底壁部１１の外縁のうちのＬ字形状の内側の縁からは、上側に向かって板状の第１側壁部１２が立設されている。第１側壁部１２は、底壁部１１に対して垂直に立設されている。第１側壁部１２は、底壁部１１における内側の縁の全体に亘って略Ｌ字形状に延設されている。
【００１５】
底壁部１１の外縁のうちのＬ字形状の外側の縁からは、上側に向かって板状の第２側壁部１３が立設されている。第２側壁部１３は、底壁部１１に対して垂直に立設されている。第２側壁部１３は、底壁部１１における外側の縁の全体に亘って略Ｌ字形状に延設されている。すなわち、第２側壁部１３は、第１側壁部１２と対をなしており、同一方向に立設されているとともに互いに対向している。また、第２側壁部１３の底壁部１１からの立設長は、第１側壁部１２の底壁部１１からの立設長と同じになっている。
【００１６】
底壁部１１のうちＬ字の屈曲部分からの延設長さが短い側の端部である短手端部１１ａからは、上側に向かって板状の仕切壁部１４が立設されている。仕切壁部１４は、第１側壁部１２及び第２側壁部１３に対して平行となるように直線状に延設されている。仕切壁部１４は、第１側壁部１２と第２側壁部１３との間の略中央に位置している。仕切壁部１４の底壁部１１からの立設長は、第１側壁部１２及び第２側壁部１３の底壁部１１からの立設長と同じになっている。
【００１７】
図３に示すように、第１側壁部１２の外面（第２側壁部１３とは反対側の面）からは、外側に向かって一対の板状の第１ガイド部１７が突出している。一対の第１ガイド部１７は、第１側壁部１２の短手端部１１ａ側の縁に沿って、互いに離間しつつ上下方向に延びている。一対の第１ガイド部１７は、第１側壁部１２の上端よりも上側にまで延びている。
【００１８】
一対の第１ガイド部１７の外側（突出先端側）は、四角板状のガイド覆部１８に覆われている。ガイド覆部１８は、一対の第１ガイド部１７の上下方向の略上側半分を覆っている。このガイド覆部１８で覆われている部分においては、図５に示すように、第１側壁部１２、一対の第１ガイド部１７、及びガイド覆部１８によって略筒状になっていて、その内部にバンド挿通空間Ａが区画されている。
【００１９】
図３に示すように、第１側壁部１２のうち、一対の第１ガイド部１７の間の部分は、下方ほど内側（第２側壁部１３側）に向かうように湾曲した湾曲部１２ａになっている。この実施形態では、第１側壁部１２の略下側半分が内側に向かうように湾曲している。
【００２０】
図４に示すように、第２側壁部１３の外面（第１側壁部１２とは反対側の面）からは、外側に向かって板状の第２ガイド部１９が突出している。第２ガイド部１９は、第２側壁部１３の短手端部１１ａ側の縁に沿って延びている。第２ガイド部１９は、第２側壁部１３の上下方向の全域に亘って設けられている。
【００２１】
図３に示すように、第１側壁部１２の外面からは、外側に向かって係合部１５が突出している。係合部１５は、プロテクタ本体１０の上側から平面視すると略Ｕ字形状になっていて、当該係合部１５におけるＵ字の内側面と第１側壁部１２の外面とによって貫通孔が区画されている。係合部１５は、第１側壁部１２の先端に位置している。
【００２２】
仕切壁部１４のうち第１側壁部１２側の面からは、第１側壁部１２側に向かって係合部１６が突出している。係合部１６は、プロテクタ本体１０の上側から平面視すると略Ｕ字形状になっていて、当該係合部１６におけるＵ字の内側面と仕切壁部１４の第１側壁部１２側の面とによって貫通孔が区画されている。係合部１６は、仕切壁部１４の延設方向において離間して２つ設けられている。また、係合部１６は、仕切壁部１４の先端に位置している。
【００２３】
第２側壁部１３の先端には、ヒンジ部２０を介して第１蓋部材３０が連結されている。なお、図３の分解斜視図では、プロテクタ本体１０の第２側壁部１３に対して第１蓋部材３０が別体のものとして図示しているが、実際にはヒンジ部２０を介して一体的に連結されている。図５に示すように、ヒンジ部２０は、一部分が薄肉になっていて、この薄肉部分を回動中心として第１蓋部材３０がプロテクタ本体１０の第２側壁部１３に対して回動可能になっている。
【００２４】
図１に示すように、第１蓋部材３０は、プロテクタ本体１０の第１側壁部１２の先端、第２側壁部１３の先端、及び仕切壁部１４の先端に取り付けられる略長方形板状の底板部３１を備えている。底板部３１の基端側の縁３１ｂは、ヒンジ部２０に連結されている。底板部３１の基端側の縁３１ｂからその反対側の先端側の縁３１ａまでの底板部３１の長手方向の寸法は、第２側壁部１３の外面から第１側壁部１２の外面までの寸法と略同じになっている。また、仕切壁部１４の延設方向において、底板部３１の短手方向の寸法は仕切壁部１４の寸法と同じになっている。したがって、ヒンジ部２０を回動中心として第１蓋部材３０を回動させて閉じた状態にすると、第１蓋部材３０は、第１側壁部１２の先端から第２側壁部１３の先端までの範囲を覆う。また、第１蓋部材３０によって覆われている部分においては、プロテクタ本体１０の底壁部１１、第１側壁部１２、第２側壁部１３、及び第１蓋部材３０の底板部３１によって、ワイヤハーネスを挿通するための挿通空間Ｓが区画されている。また、その挿通空間Ｓが仕切壁部１４によって２つに分割されている。
【００２５】
図３に示すように、底板部３１からは、板状の第１板部３４が立設されている。第１板部３４は、第１蓋部材３０を閉じた状態において上側に向かって立設されている。第１板部３４は、底板部３１の先端側の縁３１ａよりもやや内側に位置しており、先端側の縁３１ａに対して平行に延びている。第１板部３４は、底板部３１に対して垂直に立設されている。
【００２６】
底板部３１の基端側の縁３１ｂからは、板状の第２板部３５が立設されている。第２板部３５は、第１蓋部材３０を閉じた状態において上側に向かって立設されている。第２板部３５は、底板部３１に対して垂直に立設されている。第２板部３５の底板部３１からの立設長は、プロテクタ本体１０の短手端部１１ａ側の一部が短くなっている。第２板部３５は、第１板部３４と同一方向に立設されており、互いに対向している。
【００２７】
底板部３１からは、板状の仕切板部３６が立設されている。仕切板部３６は、第１蓋部材３０を閉じた状態において上側に向かって立設されている。仕切板部３６は、第１板部３４と第２板部３５との間の略中央に位置している。仕切板部３６は、第１板部３４及び第２板部３５に対して平行になっている。
【００２８】
図３に示すように、底板部３１の先端側の縁３１ａからは、係合爪部３７が突出している。係合爪部３７は、第１蓋部材３０を閉じた状態において下側に向かって突出している。係合爪部３７は、先端側の縁３１ａのうちの短手端部１１ａとは反対側に位置している。係合爪部３７は、第１蓋部材３０が閉じた状態においては、プロテクタ本体１０の係合部１５に係合している。
【００２９】
底板部３１の略中央部からは、係合爪部３８が突出している。係合爪部３７は、第１蓋部材３０を閉じた状態において下側に向かって突出している。係合爪部３８は、底板部３１における先端側の縁３１ａと基端側の縁３１ｂとの略中央であって、底板部３１の短手方向において離間して２つ設けられている。係合爪部３８は、第１蓋部材３０が閉じた状態においては、プロテクタ本体１０の各係合部１６に係合している。
【００３０】
第１板部３４の外面（第２板部３５とは反対側の面）からは、外側に向かって係合部４３が突出している。係合部４３は、第１板部３４のうちの短手端部１１ａとは反対側に位置している。係合部４３は、第１蓋部材３０を上側から平面視すると略Ｕ字形状になっていて、当該係合部４３におけるＵ字の内側面と第１板部３４の外面とによって貫通孔が区画されている。係合部４３は、第１板部３４の先端に位置している。
【００３１】
第２板部３５の外面（第１板部３４とは反対側の面）からは、外側に向かって係合部４４が突出している。係合部４４は、第１蓋部材３０を上側から平面視すると略Ｕ字形状になっていて、当該係合部４４におけるＵ字形状の内側面と第２板部３５の外面とによって貫通孔が区画されている。係合部４４は、第２板部３５の延設方向において離間して２つ設けられている。また、係合部４４は、第２板部３５の先端に位置している。
【００３２】
第１板部３４の外面（第２板部３５とは反対側の面）からは、外側に向かって係合筒部４１が突出している。係合筒部４１は、第１蓋部材３０を上側から平面視すると略Ｕ字形状になっていて、当該係合筒部４１におけるＵ字の内側面と第１板部３４の外面とによって貫通孔が区画されている。係合筒部４１は、第１板部３４のうちの短手端部１１ａ側に位置している。係合筒部４１は、第１板部３４の上下方向の全域に亘って延びている。
【００３３】
係合筒部４１の内面からは、第１板部３４と平行に板状の係合片４２が延びている。係合片４２は、係合筒部４１の上端部に位置していて、係合筒部４１及び第１板部の貫通孔を仕切るように延びている。すなわち、係合筒部４１の内面及び第１板部３４の外面によって区画される貫通孔の上端部が係合片４２によって２つに分割されている。
【００３４】
図１に示すように、係合筒部４１の外面（第２板部３５とは反対側の面）からは、外側に向かってガイド部４０が突出している。ガイド部４０は、第１蓋部材３０を上側から平面視すると略Ｕ字形状になっていて、当該ガイド部４０におけるＵ字の内側面と係合筒部４１の外面とによって貫通孔が区画されている。ガイド部４０は係合筒部４１の上下方向に延びており、ガイド部４０の上端部は係合筒部４１の上端部よりも下方に位置している。図５に示すように、ガイド部４０の位置は、第１蓋部材３０を閉じたときに第１ガイド部１７及びガイド覆部１８の上方に位置するように設定されている。また、底板部３１のうちのガイド部４０が設けられている部分は切り欠かれており、ガイド部４０によって上下方向に延びるバンド挿通空間Ｂが区画されている。すなわち、筒形状のガイド部４０のバンド挿通空間Ｂは、プロテクタ本体１０のバンド挿通空間Ａに連通している。
【００３５】
図１に示すように、第１蓋部材３０の上側には、第２蓋部材５０が取り付けられている。第２蓋部材５０は、略長方形板状の天板部５１を備えている。天板部５１の短手方向の寸法は、第１蓋部材３０における第１板部３４、第２板部３５、及び仕切板部３６の延設方向の寸法と同じになっている。また、天板部５１の長手方向の寸法は、第１蓋部材３０における第１板部３４の外面から第２板部３５の外面までの寸法と同じになっている。すなわち、天板部５１は、第２蓋部材５０が第１蓋部材３０に取り付けられた状態では、第１板部３４の先端から第２板部３５の先端までを覆っている。
【００３６】
図３に示すように、天板部５１からは、上側に向かって板状の一対のガイド部５２が突出している。一対のガイド部５２は、天板部５１における短手端部１１ａ側の端部の縁に沿って、互いに離間しつつ延びている。天板部５１のうち、一対のガイド部５２の間の部分は、第１蓋部材３０における第２板部３５側ほど下側に湾曲した湾曲部５１ａになっている。
【００３７】
天板部５１における第１板部３４側の縁からは、下側に向かって係合爪部５３が突出している。係合爪部５３は、天板部５１の短手方向において離間して２つ設けられている。係合爪部５３は、第２蓋部材５０が第１蓋部材３０に取り付けられた状態では、第１蓋部材３０における係合片４２及び係合部４３にそれぞれ係合している。
【００３８】
天板部５１における第２板部３５側の縁からは、下側に向かって係合爪部５４が突出している。係合爪部５４は、天板部５１の短手方向において離間して２つ設けられている。また、２つの係合爪部５４のうちの一方は、湾曲部５１ａの縁から突出している。係合爪部５４は、第２蓋部材５０が第１蓋部材３０に取り付けられた状態では、第１蓋部材３０における係合部４４にそれぞれ係合している。
【００３９】
図１に示すように、プロテクタ本体１０、第１蓋部材３０、及び第２蓋部材５０の外周には、バンド部材７０が巻きつけられている。バンド部材７０は、立方体状の固定部７１と、その固定部７１から延びる帯状のバンド本体部７２とを備えている。図５に示すように、固定部７１には、断面視四角状の挿通孔７１ａが貫通されており、この挿通孔７１ａにバンド本体部７２が挿通できるようになっている。
【００４０】
図５に示すように、バンド部材７０を、プロテクタ本体１０、第１蓋部材３０、及び第２蓋部材５０の外周に巻き付けた状態では、固定部７１は、第１蓋部材３０のガイド部４０の上端部に配置されている。バンド本体部７２は、バンド挿通空間Ａ及びバンド挿通空間Ｂに挿通されており、第１蓋部材３０の第１板部３４及びプロテクタ本体１０の第１側壁部１２（湾曲部１２ａ）の外側に巻き付けられている。また、バンド本体部７２は、プロテクタ本体１０の底壁部１１の外側（下側）に巻き付けられている。さらに、バンド本体部７２は、プロテクタ本体１０の第２側壁部１３及び第１蓋部材３０の第２板部３５の外側に巻き付けられている。そして、バンド本体部７２は、第２蓋部材５０の天板部５１の外側（上側）に巻きつけられている。さらに、バンド本体部７２は、固定部７１の７１ａに挿通されて、固定部７１に固定されている。バンド部材７０は、プロテクタ本体１０、第１蓋部材３０、及び第２蓋部材５０を外側から締め付け、それらが互いに分離しないように固定している。なお、図３及び図４では、バンド部材７０の図示を省略している。
【００４１】
図４に示すように、底板部３１における挿通空間Ｓ側（下側）の面からは、下側に向かって板状の突部３２が突出している。図５に示すように、突部３２は平面視すると、中心角が９０度の略扇形状になっている。すなわち、突部３２における第１側壁部１２側の面である当接面３２ａは上下方向に直線状に延びている一方、突部３２における当接面３２ａとは反対側の面である傾斜面３２ｂは円弧状に湾曲している。突部３２の当接面３２ａの全域は、第１側壁部１２における挿通空間Ｓ側（図５における右側）の面に当接している。傾斜面３２ｂの全域は、突部３２の突出先端から基端側（上側）に向かうほど、突部３２が当接している第１側壁部１２から遠ざかるように傾斜している。
【００４２】
図４に示すように、突部３２は、第１蓋部材３０が取り付けられている部分の第１側壁部１２の延設方向において、第１蓋部材３０における底板部３１の全域から複数突出している。本実施形態では、突部３２が等間隔毎に５つ突出している。
【００４３】
次に、本実施形態の効果を作用とともに説明する。
（１）図５に示すように、バンド部材７０は、プロテクタ本体１０、第１蓋部材３０、及び第２蓋部材５０を外側から締め付けている。ここで、仮に、突部３２が突出していない場合には、バンド部材７０の締め付け力によってプロテクタ本体１０の第１側壁部１２に変形が生じることがある。例えば、第１側壁部１２は、第１側壁部１２の基端部を支点として、内側（挿通空間Ｓ側）に撓むように変形するおそれがある。第１側壁部１２に過度な変形が生じると、第１側壁部１２の内面（挿通空間Ｓ側の面）が挿通空間Ｓに挿通されたワイヤハーネスに接触することもある。この場合には、第１側壁部１２からワイヤハーネスに無理な力がかかることがある。
【００４４】
これに対して、上記実施形態では、プロテクタ本体１０の第１側壁部１２が第１蓋部材３０の突部３２に当接しているため、第１側壁部１２が挿通空間Ｓ側に変形しようとしても、その変形が突部３２によって規制される。したがってバンド部材７０による締め付け力がプロテクタ本体１０に作用しても、第１側壁部１２が挿通空間Ｓ側に変形してワイヤハーネスに無理な力が作用することは抑制できる。
【００４５】
（２）ところで、仮に、突部３２の形状が平面視で四角板状になっていて、挿通空間Ｓ側に直角な角部が存在している場合には、当該突部３２の角部が挿通空間Ｓに挿通されたワイヤハーネスに接触した際に当該ワイヤハーネスを傷つけるおそれがある。
【００４６】
これに対して、上記実施形態において、突部３２の傾斜面３２ｂは、突部３２の突出先端から基端側（上側）に向かうほど、突部３２が当接している第１側壁部１２から遠ざかるように傾斜している。すなわち、突部３２の傾斜面３２ｂが面取りされたような形状になっている。したがって、第１蓋部材３０の突部３２が挿通空間Ｓ内のワイヤハーネスに接触した際に、ワイヤハーネスを傷つけることを抑制できる。
【００４７】
（３）また、上記実施形態では、第１蓋部材３０が取り付けられている部分の第１側壁部１２の延設方向において、第１蓋部材３０における底板部３１の全域から複数の突部３２が突出している。そして、プロテクタ本体１０の第１側壁部１２の延設方向において、複数の突部３２と第１側壁部１２とが当接している。そのため、プロテクタ本体１０においてバンド部材７０が巻き付けられていない部分の内側でも、プロテクタ本体１０の第１側壁部１２と第１蓋部材３０の突部３２とが当接している。これにより、プロテクタ本体１０においてバンド部材７０が巻き付けられていない部分の内側でも、第１側壁部１２が挿通空間Ｓ側へ変形することを抑制できる。したがって、プロテクタ本体１０に対して力が作用しても、第１側壁部１２と第１蓋部材３０との位置関係にずれが生じることを抑制できる。その結果、プロテクタ本体１０において歪み等が生じることを抑制できる。
【００４８】
なお、上記の実施形態は、以下のように変更できる。
・上記実施形態では、突部３２の当接面３２ａの全域が第１側壁部１２に当接していたが、突部３２の一部が第１側壁部１２に当接していてもよい。
【００４９】
・上記実施形態において突部３２の当接面３２ａと第１側壁部１２との間に僅かに隙間があってもよい。例えば、第１蓋部材３０を開閉する際に突部３２が第１側壁部１２に干渉しない程度の隙間を設ける場合、プロテクタ本体１０や第１蓋部材３０に製造誤差が生じる場合等による突部３２と第１側壁部１２との隙間がごく僅かであるならば、突部３２の当接面３２ａが第１側壁部１２に当接しているといえる。
【００５０】
・上記実施形態の突部３２の形状は適宜変更してもよい。例えば、突部３２の傾斜面３２ｂは円弧状に傾斜していたが、直線状に傾斜していてもよい。
・また、突部３２において当接面３２ａとは反対側の面の一部が傾斜面３２ｂになっていてもよい。例えば、突部３２は、平面視した場合に、四角形状の角部をＲ面取りやＣ面取りしたような形状であってもよい。
【００５１】
・上記実施形態では、第１蓋部材３０が複数の突部３２を備えていたが、突部３２を１つ備えていてもよい。なお、突部３２を１つのみ設ける場合、第１蓋部材３０が取り付けられている部分の第１側壁部１２の延設方向においてバンド部材７０が巻き付けられている箇所の近傍に突部３２を設けることが好ましいが、これに限らない。
【００５２】
・さらに、突部３２を１つのみ設ける場合、第１蓋部材３０における底板部３１の全域に延びている柱状の突部３２であってもよい。
・上記実施形態の突部３２に代えて、又は加えて、第２側壁部１３の挿通空間Ｓ側の面に当接する突部を設けてもよい。
【００５３】
・また、第２蓋部材５０は、当該第２蓋部材５０が閉じられた状態において、天板部５１から下側に向かって突出する突部を備えていてもよい。そして、第２蓋部材５０の突部は、第１蓋部材３０における第２板部３５の内面（第１板部３４側の面）に当接していればよい。
【００５４】
・上記実施形態のプロテクタ本体１０の全体的な形状は適宜変更してもよい。例えば、底壁部１１は、略Ｌ字形状に屈曲していたが、円弧状に屈曲していてもよいし、屈曲してなく直線状に延びていてもよい。また、仕切壁部１４、第１ガイド部１７、ガイド覆部１８、及び第２ガイド部１９を省略してもよい。
【００５５】
・上記実施形態では、プロテクタ本体１０と第１蓋部材３０とがヒンジ部２０を介して連結していたが、連結していなくてもよい。すなわち、プロテクタ本体１０と第１蓋部材３０とが別体で構成されていて、第１蓋部材３０をプロテクタ本体１０に取り付けるようにしてもよい。
【００５６】
・上記実施形態の第１蓋部材３０の形状は適宜変更してもよい。例えば、第１蓋部材３０の係合爪部３７及び係合爪部３８を省略してもよい。すなわち、第１蓋部材３０は、プロテクタ本体１０の形状等の構成に合わせて適宜変更すればよい。この場合においても、バンド部材７０を巻き付けることによって、プロテクタ本体１０、第１蓋部材３０、及び第２蓋部材５０が互いに分離しないように固定できる。
【００５７】
・また、第１蓋部材３０は、第１板部３４、第２板部３５、仕切板部３６、ガイド部４０、係合筒部４１、係合片４２、係合部４３、及び係合部４４を省略してもよい。さらに、これに合わせて第２蓋部材５０を省略できる。
【００５８】
・上記実施形態の第２蓋部材５０の形状は適宜変更してもよい。例えば、第２蓋部材５０の係合爪部５３及び係合爪部５４を省略してもよい。すなわち、第２蓋部材５０は、第１蓋部材３０の形状等の構成に合わせて適宜変更すればよい。
【符号の説明】
【００５９】
Ａ…バンド挿通空間、Ｂ…バンド挿通空間、Ｓ…挿通空間、１０…プロテクタ本体、１１…底壁部、１１ａ…短手端部、１２…第１側壁部、１２ａ…湾曲部、１３…第２側壁部、１４…仕切壁部、１５…係合部、１６…係合部、１７…第１ガイド部、１８…ガイド覆部、１９…第２ガイド部、２０…ヒンジ部、３０…第１蓋部材、３１…底板部、３１ａ…縁、３１ｂ…縁、３２…突部、３２ａ…当接面、３２ｂ…傾斜面、３４…第１板部、３５…第２板部、３６…仕切板部、３７…係合爪部、３８…係合爪部、４０…ガイド部、４１…係合筒部、４２…係合片、４３…係合部、４４…係合部、５０…第２蓋部材、５１…天板部、５１ａ…湾曲部、５２…ガイド部、５３…係合爪部、５４…係合爪部、７０…バンド部材、７１…固定部、７１ａ…挿通孔、７２…バンド本体部。
【図１】
2018191379.tif 000003
【図２】
2018191379.tif 000004
【図３】
2018191379.tif 000005
【図４】
2018191379.tif 000006
【図５】
2018191379.tif 000007